(57)【特許請求の範囲】
【請求項１】
文書作成またはタイピングの間違いを含む文書のような記載上の書き誤りを修正するために使用される修正テープディスペンサーであって、
先端部の引出口（１０）を持つケース１１と、
前記ケース（１１）の後端部に結合されるキャップ（１２）と、
ギア装置（１３）によってお互い噛合されて回る供給リール（１４）及び回収リール（１５）と、
修正テープの案内のためのリボンガイド（１６）を収容しながらケース（１１）の内部で回転可能な構造に結合される円筒状のレフィルケース（１７）と、を備え、
前記レフィルケース（１７）は、ケース（１１）の内壁と一定の間隔を維持すると同時に、その後端の中心軸（１８）を利用してキャップ（１２）の内側面の中心にある軸受け（１９）に支持されながら３６０゜回転されることができる、修正テープディスペンサー。
【請求項２】
前記キャップ（１２）の軸受け（１９）は、楔状になるレフィルケース軸（１８）を収容しながら軸の後端部を係止する軸受けハウジング（２０）と、軸の楔部を支える軸受け凹み（２１）と、を備え、レフィルケースの回転の時に軸（１８）の回転支持点の役目を行う、
請求項１に記載の修正テープディスペンサー。
【請求項３】
前記ケース（１１）の外周面に、螺旋状の一対のガイドホール（２２）が形成され、
前記キャップ（１２）の内周面に、各ガイドホール（２２）に挟まれてホールに沿って移動するガイドピン（２３）がそれぞれ形成され、
キャップ（１２）の前進及び後進回転の時にレフィルケース（１７）の先端にあるリボンガイド（１６）がケース（１１）の内外側に収納及び引出されることができる、
請求項１又は２に記載の修正テープディスペンサー。
【発明の詳細な説明】
【技術分野】
【０００１】
本発明は、修正テープディスペンサーに関し、特に、ボールペンなどのように、消しゴムでよく消されない筆記具によって記載された誤字などを修正する時に使用するディスペンサーに関する。
【背景技術】
【０００２】
一般的に、鉛筆で書いた字は消しゴムを利用して消すことができるが、ボールペンなどで書いた字は修正テープディスペンサーで修正したい部分を覆って、その上にまた字を書く方法で修正する。
【０００３】
すなわち、修正テープディスペンサーは、文書作成またはタイピング（Ｔｙｐｉｎｇ）の間違いを含む文書のような記載上の書き誤りを修正するために使用される。
【０００４】
通常、修正テープは、合成樹脂材からなるフィルムに通常「ホワイト」と呼ばれる特殊塗料を塗布してなり、大部分がリール形状に巻取され、ディスペンサーに内装されて提供される。
【０００５】
例えば、前記修正テープは、約５ｍｍの幅と、約５０〜６０ｕｍの厚さを持った薄型バンドであり、母材としてのフィルム上に塗布された白色の隠蔽層を持っている。この時の隠蔽層がフィルムから分離・転写されながら紙などの記録媒体に記録された文字、絵などの間違い部分を修正する。
【０００６】
このような修正テープディスペンサーは、使用の時に一手に握ることができるケースと、巻取されている修正テープを供給する供給リールと、ケースの端に装着されて修正テープを案内するリボンガイドと、使われた修正テープを回収する回収リール、などを含む形態になり、前記供給リールと回収リールは、ギア組合を通じてお互いに反対方向に回転しながら修正テープを解く又は巻く方式で動作する。
【０００７】
したがって、リボンガイドのチップを紙面に密着させた後にケースを一方へ押せば、リボンガイドのチップによって修正テープが紙面に密着されながら修正テープに塗布された塗料が紙面に接着されたまま残る。
【０００８】
そして、塗料が除去された修正テープは、リボンガイドのチップを回って、ずっと回転されて回収リールに巻かれるようになり、これと共に、ギア組合によって供給リールも回転されながら新しい修正テープが続けて供給されることができる。
【０００９】
しかし、このような修正テープディスペンサーは、修正したい紙面にリボンガイドのチップの方向を合わせてケースを把持した状態で押さなければならないから使用が煩わしく不便な短所がある。
【００１０】
これを解消するために、図６に図示するように、ケース１００内にリボンガイド１１０を左右に回転させることができる形態のディスペンサーが提示されているが、この場合、リボンガイドの回転範囲が１０〜１５゜程度と制限的であるから、使用の時の不便さや煩わしさを解消するには充分でない。
【発明の概要】
【発明が解決しようとする課題】
【００１１】
本発明は、前記のような問題点を解決するために案出され、ケースの内部で３６０゜の回転の可能な円筒状のレフィルケースを備え、方向にかかわらずどの角度でも使用することができる新しい形態のディスペンサーを具現することにより、ディスペンサー使用の時に、方向性にかかわらずグリップ状態でそのまま使用することができるなど便利に使用することができる修正テープディスペンサーを提供することにその目的がある。
【００１２】
また、本発明は、ケースの内部に収納及び引出可能な円筒状のレフィルケースを備え、不使用の時にはケース内側にレフィルケースを引入することにより、外部の汚染や損傷などからレフィルケースを保護することができる修正テープディスペンサーを提供することにもう一つの目的がある。
【課題を解決するための手段】
【００１３】
本発明が提供する修正テープディスペンサーは、以下の特徴がある。
【００１４】
前記修正テープディスペンサーは、文書作成またはタイピングの間違いを含む文書の記載上の書き誤りを修正するために使用されるものであり、先端部に引出口を持つケースと、前記ケースの後端部に結合されるキャップと、ギア装置によって互いに噛合して回る供給リール及び回収リールと、修正テープの案内のためのリボンガイドを収容しながらケースの内部で回転可能な構造に結合される円筒状のレフィルケースとを含む形態になる。
【００１５】
このような修正テープディスペンサーのレフィルケースは、ケースの内壁と一定の間隔を維持すると同時にその後端の中心の軸を利用してキャップの内側面の中心にある軸受けに支持されながら３６０゜回転することができ、したがって、方向にかかわらずどの角度にも使用することができるという特徴がある。
【００１６】
ここで、前記キャップに具備される軸受けは、楔状になるレフィルケース軸を収容しながら軸の後端部を係止する軸受けハウジングと、軸の楔部を支持する軸受け凹みとからなり、レフィルケースの回転の時に軸の回転支持点の役目を行うようにすることが望ましい。
【００１７】
そして、前記ケースの外周面には、螺旋状になる一対のガイドホールを形成し、前記キャップの内周面には、各ガイドホールに挟まれてホールに沿って移動するガイドピンを形成し、キャップの前進及び後進の回転の時にレフィルケースの先端にあるリボンガイドがケースの内外側に収納及び引出されることができるようにすることにより、不使用の時にケース内側にレフィルケースを引き入れることができる。結果的に外部の汚染や損傷などからレフィルケース、特に、レフィルケースの端にあるリボンガイドを保護することができるという特徴がある。
【発明の効果】
【００１８】
本発明が提供する修正テープディスペンサーは、以下の有利な点がある。
【００１９】
第一に、ケースの内部でレフィルケースが３６０゜回転するから、グリップ状態にそのまま使用することができるなど方向にかかわらずどの角度にも使用することができる便利さがある。
【００２０】
第二に、使用の時にはキャップを回してレフィルケースを引出することができ、不使用の時にはキャップを回してレフィルケースを収納することができるので、外部の汚染や損傷などからレフィルケースを保護することができるなど保管性及び取扱性の側面から有利な点がある。
【図面の簡単な説明】
【００２１】
【図１】本発明の一つの実施形態に係る修正テープディスペンサーを示す分解斜視図である。
【図２】本発明の一つの実施形態に係る修正テープディスペンサーを示す結合斜視図である。
【図３】本発明の一つの実施形態に係る修正テープディスペンサーを示す断面図である。
【図４】本発明の一つの実施形態に係る修正テープディスペンサーのレフィルケースの収納及び引出状態を示す斜視図である。
【図５】本発明の一つの実施形態に係る修正テープディスペンサーのレフィルケースの３６０゜回転状態を示す斜視図である。
【図６】従来の修正テープディスペンサーを示す斜視図である。
【発明を実施するための形態】
【００２２】
以下、添付した図面を参照しながら本発明を詳しく説明する。
【００２３】
図１及び図２は本発明の一つの実施形態に係る修正テープディスペンサーを示す斜視図であり、図３は本発明の一つの実施形態に係る修正テープディスペンサーを示す断面図である。
【００２４】
図１〜図３に図示するように、前記修正テープディスペンサーは、文書作成の時に消しゴムでよく消されない筆記具によって記載された誤字などを修正する時に使用されるものであり、ケース１１の内部で３６０゜回転することができるレフィルケース１７を備え、このようなレフィルケース１７を通じて方向性にかかわらず、グリップ状態でそのまま使用することができる便利さを提供する。
【００２５】
このため、先端部に引出口１０が形成されており、後端部は開放されている円筒状のケース１１が備えられる。
【００２６】
このようなケース１１の前方部は、楽なグリップ感のために、テーパー形状になり、この時のテーパー形状は、引出口１０がある先端方向へますます外径が小さくなるテーパー形状になっており、これによって使用者はテーパー形状部分を楽に把持した状態でディスペンサーを使用することができる。
【００２７】
ここで、前記引出口１０は、レフィルケース１７にあるリボンガイド１６を外に取り出すか、又は内側に引き入れる一種の出入口を意味し、前記ケース本体の開放されている後端部は、後述するキャップ１２によって締め切られる。
【００２８】
前記キャップ１２は、ケース１１の後端部に結合される部材であり、ケース本体の外周部を内側で包む状態で同心円状に結合され、ケース本体上で自体軸線を中心に回転することができる。
【００２９】
このようなキャップ１２には、３６０゜回転可能なレフィルケース１７を支持するための手段として軸受け１９が備えられ、この時の軸受け１９はレフィルケース１７が回転される時にその回転支持体の役目をする。
【００３０】
このため、前記軸受け１９は、キャップ１２の内側面の中心部から突き出される円形のボディーからなる軸受けハウジング２０と、前記軸受けハウジング２０の底中心、すなわち、キャップ１２の内側面の中心で凹む形態を持つ軸受け凹み２１とからなる。
【００３１】
そして、前記軸受けハウジング２０の端部の周縁には、内側に突き出される突出部３０が形成され、この時の突出部３０は、軸受けハウジング２０の内側に挿入されるレフィルケース１７の軸１８の後端部を係止する役目をする。
【００３２】
ここで、前記軸受けハウジング２０は、四方に略四つの部位が開放されているため、修正テープのレフィルなどのためにレフィルケース１７の軸１８を挟む又は抜き取る時に少しの力を加えて押す又は引くようにすれば、レフィルケース１７を易しく装着または脱去することができる。
【００３３】
また、前記軸受け凹み２１の場合には、楔状を持つ軸１８の楔部分を支えることができるようになり、これによってレフィルケースの回転の時に軸１８の回転支持点の役目を行うことができる。
【００３４】
前記レフィルケース１７は、円筒状になり、ケース内部で３６０゜回転可能な構造に装着される。
【００３５】
このようなレフィルケース１７は、軸線方向に沿って２つの部品が分離及び結合可能な組合型になっていて、この時の部品がお互いに当接する凹みと突起との間の締結構造を通じて分離及び結合することができる。
【００３６】
このようなレフィルケース１７には、軽量化などのために壁体の周縁に沿って形成されるスロット形態の多数の切開部２９が備えられ、また、前記ケース１１と同様に前方部分は、ケース側とのマッチのために、リボンガイド１６が装着される先端方向へますます外径が小さくなるテーパー形状になっている。
【００３７】
また、前記レフィルケース１７の後端部の中心には、楔形状の軸１８が形成されていて、この軸１８を通じてキャップ１２にある軸受け１９の内部に挟まれて嵌合されながら係合されるために、キャップ１２と一緒に一体式構造を形成することができるようになり、また、軸１８を中心軸として回転することができるようになる。
【００３８】
これによって、前記レフィルケース１７は、ケース１１の内壁と一定の間隔、例えば、約０．２５ｍｍ程度の間隔を維持しながらケースの内側に同心円状に配置され、また、後側の軸１８を利用してキャップ１２の内側面の中心にある軸受け１９に支持されながら３６０゜回転することができるようになる。
【００３９】
一方、前記レフィルケース１７は、修正テープの供給及び回収のための供給リール１４及び回収リール１５と、修正テープの案内のためのリボンガイド１６とを備える。
【００４０】
前記供給リール１４、回収リール１５、及びリボンガイド１６は、レフィルケース１７の内部に支持される形態に装着され、前記供給リール１４と回収リール１５とは、ギア装置１３によって噛合して回りながら修正テープを互いに解く又は巻取るようになり、この時の修正テープは、供給リール１４側から解け始まり、リボンガイド１６を経由しながら、再び方向が曲がった後に、回収リール１５側に巻取られることができるようになる。
【００４１】
これをもっと詳細に説明すれば、前記レフィルケース１７の内部には、軸線に対して直角方向に延長されながら前後に配置される２つのリール軸２４ａ、２４ｂが形成され、このように形成される２つのリール軸２４ａ、２４ｂの中で後側に配置されるリール軸２４ａにはボス２５を持つ供給歯車１３ａが装着されると同時に、この供給歯車１３ａのボス２５に供給リール１４が結合され、前方に配置されるリール軸２４ｂには回収歯車１３ｂが一体に形成されている回収リール１５が装着される。
【００４２】
そして、前記供給歯車１３ａと、回収歯車１３ｂとは、お互いに噛合するために、このようなギアの間の噛合によった伝動作用によって供給リール１４と、回収リール１５とが互いに連係しながら回ることができるようになる。
【００４３】
また、前記レフィルケース１７の内部の先端側には、リボンガイド軸２６が形成され、この時のリボンガイド軸２６には、リボンガイド１６のボディーの後端に形成されているリボンガイドホール２７が挟まれて固定される。
【００４４】
すなわち、前記リボンガイド１６は、後端のリボンガイドホール２７を利用してレフィルケース１７のリボンガイド軸２６に結合される構造に支持されることができるようになる。
【００４５】
そして、前記リボンガイド１６の先端には、修正テープとの接触によって自由に回転可能なリボンガイドホール２８が装着され、これによって修正テープが、回転するリボンガイドロール２８と紙面との間に圧着され、結局に修正テープに塗布された塗料が紙面に接着されたまま残るようになる。
【００４６】
特に、本発明においては、ディスペンサーの不使用の時にレフィルケース１７の先端にあるリボンガイド１６をケース１１の内部に引入することができ、また、使用の時には、ケース１１の引出口１０を通じて外に取出されることができる構造を提供する。
【００４７】
このため、前記ケース１１の外周面には、ケースの長さ方向に沿って延長する螺旋状の一対のガイドホール２２が、両側に対称構造に形成され、これに相応して前記キャップ１２の内周面には、互いに見合わせる両側に、それぞれガイドピン２３が突き出て形成され、この各ガイドピン２３はガイドホール２２にそれぞれ挟まれてホールに沿って移動することができるようになる。
【００４８】
これによって、図４に示すように、前記キャップ１２を一方の方向（例えば、時計方向）へ回転させながら前進させるようにすれば、このときのキャップ１２と一体式に結合されているレフィルケース１７の全体が前方へ移動するようになって、結果的にレフィルケース１７の先端にあるリボンガイド１６は、ケース１１の外に取出されることができるようになる。
【００４９】
逆に、前記キャップ１２を反対側の方向（例えば、反時計方向）へ回転させながら後進するようになれば、このときのレフィルケース１７は、キャップ１２と一緒に後方へ移動するようになり、これによってケース１１の外に取出されたリボンガイド１６は、ケース１１の内側に引入されることができるようになり、結果的にリボンガイド１６はもちろん、こちらに張架されている修正テープが外部に露出されることを阻むことができるので、汚染や毀損などから保護することができる。
【００５０】
したがって、このように構成される修正テープディスペンサーを使用する方法に対して以下によく具体的に説明する。
【００５１】
図５は、本発明の一つの実施形態に係る修正テープディスペンサーのレフィルケースの３６０゜回転状態を示す斜視図である。
【００５２】
図５に図示するように、修正テープが張架されている供給リール１４、リボンガイド１６、及び回収リール１５を収容する円筒状のレフィルケース１７は、ケース１１の内部から後端の軸１８による支持を受けながら３６０゜回転可能な構造に装着される。
【００５３】
したがって、使用者が文書作成の時の書き誤りなどを修正するためにケース１１を一手で握った状態で修正する紙面上に方向にかかわらずリボンガイド１６をそのまま当接する場合、この時のリボンガイド１６を含むレフィルケース１７の全体が自由に回転されるによって、リボンガイド１６の方向、すなわち、リボンガイド１６の幅方向が紙面上で進行したい方向に対して正確に９０゜に配置されるようになるので、紙面上の書き誤りを容易に修正することができる。
【００５４】
すなわち、ディスペンサーで書き誤りを修正する場合、リボンガイド１６及びレフィルケース１７の全体が３６０゜回転されるから、従来のようにリボンガイドの方向を合わせるなどの煩瑣なしにケース１１を把持した状態でそのまま便利に使用することができる。
【００５５】
このように、本発明は、ケース内部のレフィルケースが３６０゜回転する円筒形態のディスペンサーを具現することにより、ディスペンサーの使用時に円筒方向にかかわらずレフィルケースの回転によってどの角度でも使用することができる、すなわち、方向性にかかわらず任意のグリップ状態でそのまま使用することができる便利さを図ることができるようになる。
【符号の説明】
【００５６】
１０    引出口
１１    ケース
１２    キャップ
１５    回収リール
１６    リボンガイド
１７    レフィルケース
１８    中心軸
１９    軸受け
【図１】
0005732177.tif 000002
【図２】
0005732177.tif 000003
【図３】
0005732177.tif 000004
【図４】
0005732177.tif 000005
【図５】
0005732177.tif 000006
【図６】
0005732177.tif 000007